(57)【要約】【課題】ビール瓶等を収納したプラスチック製の瓶ケースの店頭における販促効果を上げるために当該瓶ケースに景品を取り付ける場合などに用いられる台紙を提供する。【解決手段】瓶ケースＣの窓部分Ｗの高さに合致する上下幅の中央パネル部２を備え、その中央パネル部２の上側に折曲げ線を介して押込みパネル部３が連設されると共に下側に所定幅の折曲げ部分を介して差込みパネル部５が連設されており、押込みパネル部３には瓶の首部に嵌合係止する円形状切込が上辺から設けられており、差込みパネル部５には瓶ケースの仕切りに嵌まるスリット状切込が下辺から設けられている。中央パネル部２が瓶ケースＣの窓部分Ｗから露出した状態で取り付けられるので、中央パネル部２に景品Ｐを貼り付けたり、印刷により広告などを施すことにより、店頭販売での販促効果を挙げることができる。【選択図】        図５
2004314986.tif 000002
【特許請求の範囲】
【請求項１】
内部に瓶ごとの仕切りが設けられ、周囲の４側面にそれぞれ四角状の窓部分が設けられてなる直方体形状の瓶ケースにおける１つの窓部分に嵌め込んで取り付ける台紙であって、窓部分の高さに合致する上下幅の中央パネル部を備え、その中央パネル部の上側に折曲げ線を介して押込みパネル部が連設されると共に下側に所定幅の折曲げ部分を介して差込みパネル部が連設されており、前記押込みパネル部には瓶の首部に嵌合係止する円形状切込が上辺から設けられており、前記差込みパネル部には瓶ケースの仕切りに嵌まるスリット状切込が下辺から設けられていることを特徴とする台紙。
【発明の詳細な説明】
【０００１】
【発明の属する技術分野】
本発明は、ケース売りの瓶ケースを陳列販売する際に用いられる販促用の台紙に係り、詳しくは、ビール瓶等を収納するプラスチック製の瓶ケースにおける側面の窓部分に取り付けて使用される台紙に関するものである。
【０００２】
【従来の技術】
従来より、ジュースやビールなどの飲料を店頭にて陳列販売する場合、販促のために景品を付けることがよく行われている。例えば、缶ジュースや缶ビールの６缶パックに両面粘着テープで景品を付けたり、ゲーベルトップ型の紙容器における上部空間に合致する小さな箱を取り付け、その箱の中に景品を入れたりすることが行われている。
【０００３】
【発明が解決しようとする課題】
従来の技術で述べたように、店頭における飲料類の販促のために、色々と工夫をして景品を付けることが行われており、それなりの効果を挙げている。ところが、ビール瓶等を収納するプラスチック製の瓶ケースにおいては、そのような販促のための工夫をしたものが見当たらないのが現状である。
【０００４】
本発明は、このような事情に鑑みてなされたものであり、その目的とするところは、ビール瓶等を収納したプラスチック製の瓶ケースの店頭における販促効果を上げるために当該瓶ケースに景品を取り付ける場合などに用いられる、今までにない新規な台紙を提供することにある。
【０００５】
【課題を解決するための手段】
上記の目的を達成するため、本発明の台紙は、内部に瓶ごとの仕切りが設けられ、周囲の４側面にそれぞれ四角状の窓部分が設けられてなる直方体形状の瓶ケースにおける１つの窓部分に嵌め込んで取り付ける台紙であって、窓部分の高さに合致する上下幅の中央パネル部を備え、その中央パネル部の上側に折曲げ線を介して押込みパネル部が連設されると共に下側に所定幅の折曲げ部分を介して差込みパネル部が連設されており、前記押込みパネル部には瓶の首部に嵌合係止する円形状切込が上辺から設けられており、前記差込みパネル部には瓶ケースの仕切りに嵌まるスリット状切込が下辺から設けられていることを特徴とする。
【０００６】
【発明の実施の形態】
以下、図面を参照して本発明の実施の形態を説明する。
【０００７】
図１は本発明に係る台紙の一例を示す平面図である。この台紙１は板紙を打ち抜いて作製されており、同図に示されるように、中央パネル部２とその上側に折曲げ線ａを介して押込みパネル部３が連設されると共に、その下側に一対の折曲げ線ｂ，ｃにより区画される所定幅の折曲げ部分４を介して差込みパネル部５が連設されている。
【０００８】
図１の台紙１は、ビール大瓶を２０本収納したプラスチック製の瓶ケースに対し、図２又は図３に示す如く何れかの側面に取り付けて使用される。この瓶ケースＣは一般に広く使用されている普通のもので、内部に瓶ごとの仕切りが設けられ、周囲の４側面にそれぞれ四角状の窓部分Ｗが設けられており、窓部分Ｗには瓶ケースＣの長辺側にある大きい方と短辺側にある小さい方とがある。図２は小さい方の窓部分Ｗに台紙１を取り付けた場合を示し、図３は大きい方の窓部分Ｗに台紙１を取り付けた場合を示している。
【０００９】
台紙１における中央パネル部２は、景品Ｐを貼り付けるための部分で、瓶ケースＣの窓部分Ｗの高さに合致する上下幅を有している。そして、押込みパネル部３、折曲げ部分４及び差込みパネル部５の横幅は、瓶ケースＣにおける小さい方の窓部分Ｗに挿入可能なようにその横幅より僅かに小さくなっており、中央パネル部２の横幅は、押込みパネル部３、折曲げ部分４及び差込みパネル部５の横幅より大きく、両側に張出部分を有した形状になっている。
【００１０】
台紙１における押込みパネル部３には、瓶の首部に嵌合係止する円形状切込３ａが上辺から２箇所に設けられており、この円形状切込３ａは瓶の首部に入りやすくするため、上辺からの出入口は丸みを帯びた形状になっている。また、台紙１における差込みパネル部５には、瓶ケースＣの仕切りに嵌まるＶ字型をしたスリット状切込５ａが下辺から折曲げ部分４の手前に至るまで長く設けられており、このスリット状切込５ａは２つの円形状切込３ａの中央に位置している。
【００１１】
この台紙１は、瓶ケースＣに取り付けるに際して、図４（ａ）に示す状態に折り曲げ、図４（ｂ）に示すように景品Ｐを貼り付ける。すなわち、中央パネル部２に対して押込みパネル部３を折曲げ線ａで裏側に折り曲げるとともに、折曲げ部分４及び差込みパネル部５を２本の折り曲げ線ｂ，ｃでクランク状の折り癖を付けた状態とする。そして、中央パネル部２の表側に両面粘着テープにより景品を貼り付ける。
【００１２】
このように折り曲げた台紙１に景品Ｐを貼り付けた状態とした後、図５に示すように、まず第１段階Ｓ１  として、差込みパネル部５を瓶ケースＣにおける小さい方の窓部分Ｗの内側下方に向けて差し込む。この時、スリット状切込５ａが瓶ケースＣの内部にある仕切りに嵌まり込む。次いで第２段階Ｓ２  として、右側に一部拡大して示すように、押込みパネル部３を窓部分Ｗの上辺に沿って押し込み、２箇所の円形状切込３ａをそれぞれ瓶の首部に嵌合係止する。これにより、図２に示す如く、瓶ケースＣにおける小さい方の窓部分Ｗに景品Ｐ付きの台紙１を取り付けた状態となる。ここで、台紙１の瓶ケースＣへの取付け状態において台紙１の中央パネル部２が瓶ケースＣの表面と平行となり且つ表面から飛び出ないようにするのが好ましく、そのためには、折曲げ部分４の幅と押込みパネル部３における円形状切込３ａの位置とを瓶ケースＣの構造に合わせて予め決めておくようにする。
【００１３】
図３に示す取付け状態、すなわち瓶ケースＣにおける大きい方の窓部分Ｗに景品Ｐ付きの台紙１を取り付ける場合、取り付け方は前述したのと同様であるが、台紙１は瓶ケースＣ内部の仕切りと瓶の位置に合わせて取り付けるため、左右どちらかに寄せて取り付けることになる。
【００１４】
以上、具体例を挙げて本発明の実施の形態について説明してきたが、本発明の台紙は、上記した実施の形態に何ら限定されるものではなく、本発明の趣旨を逸脱しない範囲において種々の変更が可能であることは当然のことである。
【００１５】
例えば、上記の台紙は中央パネル部に景品を貼り付けた例を挙げたが、景品を貼り付けず中央パネル部に広告などの印刷を施してもよいし、中央パネル部にハガキやクジを施すようにしてもよい。
【００１６】
また、上記の台紙は、中央パネル部の両側に張出部分を有した形状になっているが、この部分は無くても差し支えないし、さらに大きな任意の形状としても構わないものである。
【００１７】
【発明の効果】
本発明の台紙は、内部に瓶ごとの仕切りが設けられ、周囲の４側面にそれぞれ四角状の窓部分が設けられてなる直方体形状の瓶ケースにおける１つの窓部分に嵌め込んで取り付ける台紙であって、窓部分の高さに合致する上下幅の中央パネル部を備え、その中央パネル部の上側に折曲げ線を介して押込みパネル部が連設されると共に下側に所定幅の折曲げ部分を介して差込みパネル部が連設されており、前記押込みパネル部には瓶の首部に嵌合係止する円形状切込が上辺から設けられており、前記差込みパネル部には瓶ケースの仕切りに嵌まるスリット状切込が下辺から設けられていることを特徴としているので、中央パネル部が瓶ケースの窓部分から露出した状態で取り付けられることから、その中央パネル部に景品を貼り付けたり、印刷により広告などを施すことにより、店頭販売での販促効果を挙げることができる。
【００１８】
また、台紙を折り曲げた状態とし、中央パネル部の下側にある差込みパネル部を瓶ケースにおける窓部分の内側下方に向けて差し込み、次いで上側にある押込みパネル部を窓部分の上辺に沿って内側に押し込むことで窓部分の外側に取り付けることができるので、店頭にて瓶ケースが積み重ねられていても、それらの瓶ケースの側面にある窓部分に後付けで簡単に取り付けることができる。
【図面の簡単な説明】
【図１】本発明に係る台紙の一例を示す平面図である。
【図２】図１に示す台紙の一つの使用形態を示す斜視図である。
【図３】図１に示す台紙の別の使用形態を示す斜視図である。
【図４】図１の台紙を瓶ケースに取り付ける状態にする手順を示す説明図である。
【図５】図４で準備した台紙を瓶ケースに取り付ける手順を示す説明図である。
【符号の説明】
１  台紙
２  中央パネル部
３  押込みパネル部
３ａ  円形状切込
４  折曲げ部分
５  差込みパネル部
５ａ  スリット状切込
Ｃ  瓶ケース
Ｗ  窓部分
Ｐ  景品
【図１】
2004314986.tif 000003
【図２】
2004314986.tif 000004
【図３】
2004314986.tif 000005
【図４】
2004314986.tif 000006
【図５】
2004314986.tif 000007